(57)【特許請求の範囲】
【請求項１】
火災現象に基づく物理量を検出する火災検出部を用いてセンサレベルを取り込む検出手段と、前記センサレベルに基づいて火災を判別して火災信号を送出するものであってその火災と判別した後は別途定義された非火災を判別して該火災信号の送出を停止する判別手段と、該火災信号に基づいて火災警報を行い、該火災信号の送出の停止により火災警報を復旧する警報手段と、を有する火災警報装置であって、前記判別手段の火災判別時から所定の保持時間、前記判別手段の判別を行わずに前記警報手段に火災信号の送出を継続させる保持手段を有することを特徴とする火災警報装置。
【発明の詳細な説明】
【０００１】
【発明の属する技術分野】
本発明は、火災現象に基づく物理量、たとえば環境温度上昇を検出して火災判別を行い、火災警報を行う火災警報装置に関する。
【０００２】
【従来の技術】
従来の火災警報装置では、火災と判別されたときの火災信号は、感知器側あるいは受信機側で自己保持されるようになっている。この自己保持機能は、一旦火災と判別された後には、人の目で現場を確認してから火災でないときに復旧すること前提としており、ビルなどの場合には、管理人が現場を確認して復旧操作を行う。
【０００３】
【発明が解決しようとする課題】
これに対して設置対象が共同住宅のような場合、管理人がいたとしても、個人の住居内には簡単に入れず、現場を確認できないことが多い。そのため、このような場合には自己保持型のシステムではなく、自己保持機能のない、いわゆる非保持型として火災と判別されなくなると警報を停止させることが提案されている。
【０００４】
本発明は、非保持型のシステムにおいて、一旦火災と判別されたときに、火災信号を所定時間継続させることを目的とする。
【０００５】
【課題を解決するための手段】
上記の点に鑑み、本発明は、火災現象に基づく物理量を検出する火災検出部を用いてセンサレベルを取り込む検出手段と、前記センサレベルに基づいて火災を判別して火災信号を送出するものであってその火災と判別した後は別途定義された非火災を判別して該火災信号の送出を停止する判別手段と、該火災信号に基づいて火災警報を行い、該火災信号の送出の停止により火災警報を復旧する警報手段と、を有する火災警報装置であって、前記判別手段の火災判別時から所定の保持時間、前記判別手段の判別を行わずに前記警報手段に火災信号の送出を継続させる保持手段を有することを特徴とするものである。
【０００７】
このように、火災と判別された後に、即座に非火災の判別が行われた場合に、火災警報をすぐに消してしまうのは不安である。それが非火災報であっても、実際に確認することが好ましく、一度行った火災警報を所定時間継続させることにより、関係者の注意を確実に喚起できる。
さらに、定義された火災判別に基づいて火災を判別して火災信号を送出するとともに、別途定義された非火災判別に基づいて非火災を判別して火災信号を復旧することを特徴とする火災感知器であって、火災現象に基づく物理量を検出する火災検出部を用いてセンサレベルを取り込む検出手段と、センサレベルと比較される基準レベルを格納する基準手段と、センサレベルと基準レベルとの差分値が所定の判別値を越えるときに火災と判別する火災判別手段と、火災判別手段が火災と判別するときに火災信号を出力する送出手段と、火災判別手段が火災と判別した後にセンサレベルが負勾配になることを判別する非火災判別手段とを有し、送出手段は、非火災と判別するときに、火災信号の送出を停止するものである。
【０００８】
さらに、非火災判別手段は、火災判別手段が火災と判別するときのセンサレベルを復旧基準レベルとして格納し、検出手段からのセンサレベルが復旧基準レベルを下回るときに非火災と判別するもの、または、検出手段からのセンサレベルと基準手段の基準レベルまたは復旧基準レベルとの差分値が所定の復旧判別値を負勾配に越えるときに非火災と判別するもの、である。そして、基準手段は、格納された所定時間前のセンサレベルを基準レベルとするもの、または、火災検出部と同じ物理量を追従性を遅らせて検出する基準検出部を用いて取り込むもの、である。
【０００９】
その結果、定義された火災判別に基づいて火災を判別して火災信号を送出するが、別途定義された非火災判別に基づいて非火災を判別して火災信号を復旧することができ、無駄な管理人の火災確認行為なしで火災警報を取り消すことができる。このときに、通常火災と判別された時点からセンサレベルとしての温度等は上昇していくことが普通であり、その時点のレベルを下回る、あるいはセンサレベルが負勾配に変化していくことで確実に非火災と判別することができる。
【００１０】
【発明の実施の形態】
以下、本発明の一実施形態について、第１の実施形態を説明する。図１は、第１の実施形態の火災感知器の具体例としてのサーミスタ式熱感知器４の回路図であり、図２は第１の実施形態の動作を示すフローチャートである。
【００１１】
図１において、熱感知器４は、図示しない火災受信機から配線された電源兼信号線がそれぞれ接続される端子Ｃ、Ｌを電源として、安定した電圧および電流を供給する定電圧回路Ｂ２と、抵抗Ｒ１とコンデンサＣ１との充電時定数に基づきマイコンＩＣ１に割り込み入力を行う発振回路Ｂ５と、マイコンＩＣ１の制御に基づきサーミスタＴＨの温度特性により火災による熱を検出するための熱検出回路Ｂ４と、マイコンＩＣ１の暴走時にリセット入力を行うリセット回路Ｂ３と、マイコンＩＣ１により火災と判別されるときに端子Ｃ、Ｌ間を低インピーダンスの略短絡状態にスイッチングするスイッチング回路Ｂ１と、を有する。
【００１２】
次に、上記熱感知器４の動作について、常時発振回路Ｂ５において抵抗Ｒ１でコンデンサＣ１に充電され、その時定数に基づいて充電電圧が所定の電位になるとインバータＩＣ４が働きマイコンＩＣ１の割り込みポートＩＮＴに信号が送られる。マイコンＩＣ１は、このポートＩＮＴへ割り込み入力が入ったときにストップ状態からラン状態へ移行し、図２のフローチャートがスタートする。ポートＩＮＴへの入力回数ａを数え（ＳＴＥＰ１）、所定の入力定数Ａ（例えば１０回）に達するときに（ＳＴＥＰ２）、入力回数ａをクリアして（ＳＴＥＰ６）熱検知を行う。所定の入力回数Ａでないときには、マイコンＩＣ１はポートＰｓをローレベル“Ｌ”（グランド電位）にして、コンデンサＣ１の電荷を放電させて動作停止状態としてのストップ状態となる（ＳＴＥＰ３、４、５）。ここで、ストップ状態とは、マイコンのクロック停止状態であって、数μＡという非常に低消費の状態であって、ラン状態では数百μＡと大きな電流消費があるのに対して経済的な状態である。
【００１３】
熱検知を行う場合には、熱検出回路Ｂ４において抵抗Ｒ６を介して充電されたコンデンサＣ２の電荷を、抵抗Ｒ１１、Ｒ１２およびサーミスタＴＨを介して放電させるために、ポートＰ７をローレベル“Ｌ”（グランド電位）とする（ＳＴＥＰ１１）。このときに、コンデンサＣ２の電位を抵抗Ｒ１０を通してマイコンＩＣ１内蔵のコンパレータのポートＰ６に入力して所定電圧Ｖｃを下回ることを監視し、マイコンＩＣ１は、放電時間Ｔｓ（現在放電時間）を計測することで温度測定を行う（ＳＴＥＰ１２、１３、１４、１５）。このマイコンＩＣ１内蔵のコンパレータの基準電位は、抵抗Ｒ７、Ｒ８により決められる。そして、サーミスタＴＨは、図示しないが、感知器本体から突出して設けられ、感知器の設置場所の周囲温度に応答するものであって、このサーミスタＴＨを通したコンデンサＣ２からの放電時間は温度依存性があり、この現在放電時間Ｔｓにより温度検出が可能である。
【００１４】
また、この熱検知動作の動作回数ｂを数え（ＳＴＥＰ２１）、所定の動作定数Ｂに達するときに（ＳＴＥＰ２２）、動作回数ｂをクリアして（ＳＴＥＰ２３）、ポートＰ７をローレベル“Ｌ”とする代わりに、ポートＰ８をローレベル“Ｌ”とすることで（ＳＴＥＰ２４）コンデンサＣ２の電荷放出を抵抗Ｒ１１のみで放電させ、温度に影響されない放電時間Ｔｃ（補正放電時間）を計測しストップ状態となる（ＳＴＥＰ２５、２６、２７、２８）。そして、前記サーミスタＴＨを含めた現在放電時間Ｔｓと含めない補正放電時間Ｔｃとの比をとってセンサレベルSLV とすることで（ＳＴＥＰ１６）、コンデンサＣ２の個体差によるばらつきを消去することが可能である。
【００１５】
そして、センサレベルSLV を求めた後（ＳＴＥＰ１６）、マイコンＩＣ１は、このセンサレベルSLV の演算回数ｃを数え（ＳＴＥＰ３１）、所定の演算定数Ｃおきに（ＳＴＥＰ３２）演算回数ｃをクリアして（ＳＴＥＰ３３）、詳細に示さないマイコンＩＣ１に内蔵されている記憶手段ＲＡＭに後述する基準レベルSLV'として用いるため格納する（ＳＴＥＰ３４）。この記憶手段ＲＡＭへのセンサレベルSLV の格納は、比較する基準レベルSLV'として用いる時間ｔ分すべてを格納してもよいが、所定回数Ｃごとに間引いて格納することにより、記憶手段ＲＡＭの容量を軽減している。そして、マイコンＩＣ１は、現在のセンサレベルSLV と所定の時間ｔ前のセンサレベルである基準レベルSLV'との差分値ΔSLV を求め（ＳＴＥＰ４１）、予め記憶手段等に設定された火災を判別するための基準としての判別値ＳＦと比較する（ＳＴＥＰ４２）。その結果に基づいて火災と判断される場合には、上記記憶手段ＲＡＭに火災の発生を示す火災フラグＦａおよび保持フラグＦｃをオンして（ＳＴＥＰ４３）ポートＰｆをハイレベル“Ｈ”とし（ＳＴＥＰ４４）、そのときの後述するセンサレベルSLV から復旧したことを判別するための復旧レベルSLVcとして上記記憶手段ＲＡＭに格納し（ＳＴＥＰ４５）ストップ状態となる。ポートＰｆをハイレベル“Ｈ”とすることで（ＳＴＥＰ４４）、スイッチング回路Ｂ１のトランジスタＱ４をオンして、端子Ｃ、Ｌ間をスイッチングし、同時にトランジスタＱ３がオンして発光ダイオードＬＥＤによる確認灯を点灯させる。この端子Ｃ、Ｌ間のスイッチングにより、図示しない火災受信機から配線された電源兼信号線間が略短絡状態となり、火災受信機の信号検出回路がこの信号線の略短絡状態を火災信号として検出する。このようにして火災信号を受けた火災受信機は、自己に設けられたブザー等の主音響の鳴動と同時に、制御線を介して接続された建物の各部に配接された必要な音響装置を起動して地区音響の鳴動を行い火災警報を行う。
【００１６】
また、上記のように火災と判別された後に、実際には火災でなかったり、火災が初期のうちに鎮静されたような非火災の状態のときには、熱感知器４は火災信号を送出し続ける必要がない。それで、上記の火災と判別した後は、センサレベルSLV から非火災の判別を行っている。
【００１７】
さらに、非火災の場合に即座に火災信号の送出を停止すると、一旦開始した火災警報による関係者の注意の喚起が行われず、万一危険な状態が継続していることもあり、非火災であることが確認されることが好ましい。そこで、火災と判別された後に、所定の保持時間Ｄの間、判別を行わずにストップ状態を継続するようにしている。
【００１８】
すなわち、火災と判別されたとき、上記記憶手段ＲＡＭに保持フラグＦｃがオンされていて（ＳＴＥＰ４３）、マイコンＩＣ１は、このポートＩＮＴへ割り込み入力が入ってストップ状態からラン状態へ移行したときに、この保持フラグＦｃのオン状態では（ＳＴＥＰ６１）、ポートＩＮＴへの入力により保持回数ｄを数える（ＳＴＥＰ６２）。そして、所定の保持時間Ｄ（たとえば２〜５分となる値）に達するときに（ＳＴＥＰ６３）、入力回数ｄのクリアおよび保持フラグＦｃのオフを行って（ＳＴＥＰ６４、６５）熱検知を行う。保持時間Ｄでないときには、入力回数ａの計数時と同様に、マイコンＩＣ１はポートＰｓをローレベル“Ｌ”（グランド電位）にして、コンデンサＣ１の電荷を放電させて動作停止状態としてのストップ状態となる（ＳＴＥＰ３、４、５）。このストップ状態もマイコンのクロック停止状態であって、経済的な状態である。したがって、所定の保持時間Ｄの間は、熱検知を行わず火災判別も行われないので、スイッチング回路Ｂ１の略短絡状態は維持され、図示しない火災受信機による火災警報も維持される。
【００１９】
そして、上記保持時間Ｄの経過により保持フラグＦｃはオフされるが、火災フラグＦａは保持されるので、センサレベルSLV の算出時に、記憶手段ＲＡＭの火災フラグＦａの状態を確認して（ＳＴＥＰ５１）、フラグＦａがオンされている場合には、非火災の判別を行うフローを行う。
【００２０】
非火災の判別は、火災と判別されたときに上記記憶手段ＲＡＭに格納されたその時点のセンサレベルである復旧レベルSLVcを現在のセンサレベルSLV と比較し（ＳＴＥＰ５２）、復旧レベルSLVcを下回るときに、センサレベルSLV が負の勾配となるので、火災でないまたは鎮静されたと判別する。そして、上記記憶手段ＲＡＭの火災フラグＦａをオフとし（ＳＴＥＰ５３）、ポートＰｆをローレベル“Ｌ”とすることで（ＳＴＥＰ５４）、スイッチング回路Ｂ１のトランジスタＱ４をオフして、端子Ｃ、Ｌ間のスイッチングを復旧し、同時にトランジスタＱ３がオフして発光ダイオードＬＥＤによる確認灯を消灯させる。そして、ストップ状態となる。この端子Ｃ、Ｌ間のスイッチングの復旧により、図示しない火災受信機から配線された電源兼信号線間が通常状態に復旧し、火災受信機の信号検出回路がこの信号線の復旧を検出する。このときに火災受信機は、自己に設けられたブザー等の主音響の鳴動停止と同時に、制御線を介して接続された建物の各部に配接された必要な音響装置の起動を停止して地区音響の鳴動停止を行い火災警報の復旧を行う。
【００２１】
ここで、マイコンＩＣ１は、火災現象に基づく物理量として環境温度を検出するサーミスタＴＨを用いてセンサレベルSLV を取り込む検出手段、センサレベルSLV に基づいて火災と非火災とを判別して火災時に火災信号をスイッチング回路Ｂ１から送出する判別手段、および、判別手段の火災判別時から所定の保持時間警報手段に火災信号の送出を継続する保持手段の一例であって、図示しない火災受信機は、信号線の略短絡状態による火災信号に基づいて火災警報を行う警報手段の一例である。
【００２２】
この非火災の判別は、火災判別の定義とはことなる定義となっているが、火災信号を保持できれば、火災判別と同じ定義により火災と判別されないときに非火災としてもよい。ただ、一旦火災と判別された後に、同様の判別で火災と判別されないときに、即座に非火災とするには不安があるので、別途非火災であることを判別して火災信号を取り消しているものであり、ヒステリシス的に安全性を考慮した火災警報の解除ができる。
【００２３】
また、この実施形態においては、保持時間Ｄの間は、火災の判別も非火災の判別も行っていないこととなるが、その間にいずれかの判別を行っていてもよく、結論としての動作であるスイッチング回路Ｂ１からの火災信号の送出を所定の間保持していればよい。
【００２４】
次に、本発明の一実施形態について、第２の実施形態を説明する。図３は第２の実施形態の動作を示すフローチャートであって、具体的には第１実施形態の回路図と同じものが用いられ、図１と同じ回路図となる。
【００２５】
熱感知器４の動作としては上記第１の実施形態と同様であり、常時発振回路Ｂ５の時定数に基づいてマイコンＩＣ１の割り込みポートＩＮＴに信号が送られ、割り込み入力が入ったときにストップ状態からラン状態へ移行し、図３のフローチャートがスタートする。
【００２６】
この第２の実施形態の動作を示す図３のフローチャートも、上記第１の実施形態の動作を示す図２のフローチャートとほぼ同じであり、ポートＩＮＴへの入力回数ａを数えて熱検知を行い、所定の回数Ａでないときには、コンデンサＣ１の電荷を放電させて動作停止状態としてのストップ状態となること（ＳＴＥＰ１〜６）、コンデンサＣ２の電位が所定電圧Ｖｃを下回る現在放電時間Ｔｓを計測することで温度測定を行うこと（ＳＴＥＰ１１〜１６）、所定の動作定数ＢごとにコンデンサＣ２の温度に影響されない補正放電時間Ｔｃを計測すること（ＳＴＥＰ２１〜２８）、および、所定の演算定数Ｃおきに基準レベルSLV'としてセンサレベルSLV を格納すること（ＳＴＥＰ３１〜３４）は同じである。
【００２７】
そして、第２の実施形態のフローチャートでは、上記第１の実施形態の火災判別（ＳＴＥＰ４１、４２）および非火災判別（ＳＴＥＰ４１、４２）のときに、所定の回数（蓄積定数Ｘ、Ｙ）連続して火災または非火災と判別されることにより、初めて火災または非火災とする蓄積機能を設けたものである。
【００２８】
すなわち、マイコンＩＣ１は、記憶手段ＲＡＭの火災フラグＦａの状態がオフの場合には（ＳＴＥＰ８１）火災の判別のフローを行い、現在のセンサレベルSLV と所定の時間ｔ前のセンサレベルである基準レベルSLV'との差分値ΔSLV を求め（ＳＴＥＰ７１）、予め記憶手段等に設定された火災を判別するための基準としての判別値ＳＦと比較する（ＳＴＥＰ７２）。そして、その結果として火災と判断される火災回数ｘを数え（ＳＴＥＰ７３）、所定の火災蓄積定数Ｘ（たとえば、１０〜６０秒分）に達するときに場合には（ＳＴＥＰ７４）、火災回数ｘをクリアして（ＳＴＥＰ７５）、上記記憶手段ＲＡＭに火災の発生を示す火災フラグＦａをオンして（ＳＴＥＰ７６）ポートＰｆをハイレベル“Ｈ”とし（ＳＴＥＰ７７）、そのときの後述するセンサレベルSLV から復旧したことを判別するための復旧レベルSLVcとして上記記憶手段ＲＡＭに格納し（ＳＴＥＰ７８）ストップ状態となる。ポートＰｆをハイレベル“Ｈ”とすることで（ＳＴＥＰ７７）、スイッチング回路Ｂ１のトランジスタＱ４をオンして、端子Ｃ、Ｌ間をスイッチングし、同時にトランジスタＱ３がオンして発光ダイオードＬＥＤによる確認灯を点灯させる。この端子Ｃ、Ｌ間のスイッチングにより、図示しない火災受信機から配線された電源兼信号線間が略短絡状態となり、火災受信機の信号検出回路がこの信号線の略短絡状態を火災信号として検出する。このようにして火災信号を受けた火災受信機は、自己に設けられたブザー等の主音響の鳴動と同時に、制御線を介して接続された建物の各部に配接された必要な音響装置を起動して地区音響の鳴動を行い火災警報を行う。また、火災回数ｘが所定の火災蓄積定数Ｘに達しないうちに火災と判断されない場合には（ＳＴＥＰ７２）、火災回数ｘをクリアする（ＳＴＥＰ７９）。これにより、再度、火災と判別されても、火災回数ｘは始めから数えることになる。
【００２９】
そして、マイコンＩＣ１は、記憶手段ＲＡＭの火災フラグＦａの状態を確認して（ＳＴＥＰ５１）、フラグＦａがオンされている場合には、非火災の判別のフローを行う。非火災の判別は、火災と判別されたときに上記記憶手段ＲＡＭに格納されたその時点のセンサレベルである復旧レベルSLVcを現在のセンサレベルSLV と比較し（ＳＴＥＰ８２）、復旧レベルSLVcを下回るときの非火災と判断される非火災回数ｙを数え（ＳＴＥＰ８３）、所定の非火災蓄積定数Ｙ（たとえば、２〜５分に対応する定数）に達するときに場合には（ＳＴＥＰ８４）、非火災回数ｙをクリアして（ＳＴＥＰ８５）、上記記憶手段ＲＡＭの火災フラグＦａをオフして（ＳＴＥＰ８６）ポートＰｆをローレベル“Ｌ”とし（ＳＴＥＰ８７）、スイッチング回路Ｂ１のトランジスタＱ４をオフして、端子Ｃ、Ｌ間のスイッチングを復旧し、同時にトランジスタＱ３がオフして発光ダイオードＬＥＤによる確認灯を消灯させる。そして、ストップ状態となる。この端子Ｃ、Ｌ間のスイッチングの復旧により、図示しない火災受信機から配線された電源兼信号線間が通常状態に復旧し、火災受信機の信号検出回路がこの信号線の復旧を検出する。このときに火災受信機は、自己に設けられたブザー等の主音響の鳴動停止と同時に、制御線を介して接続された建物の各部に配接された必要な音響装置の起動を停止して地区音響の鳴動停止を行い火災警報の復旧を行う。また、非火災回数ｙが所定の非火災蓄積定数Ｙに達しないうちに火災と判断されない場合には（ＳＴＥＰ８２）、非火災回数ｙをクリアする（ＳＴＥＰ８８）。これにより、再度、非火災と判別されても、非火災回数ｙは始めから数えることになる。
【００３０】
ここで、マイコンＩＣ１は、火災現象に基づく物理量として環境温度を検出するサーミスタＴＨを用いてセンサレベルSLV を取り込む検出手段、センサレベルSLV に基づいて火災と非火災とを判別して火災時に火災信号をスイッチング回路Ｂ１から送出する判別手段、および、判別手段の火災信号送出時に判別手段の判別結果の非火災の時間を計数し非火災の所定時間継続時に火災信号送出を停止させる蓄積手段の一例であって、図示しない火災受信機は、信号線の略短絡状態による火災信号に基づいて火災警報を行う警報手段の一例である。
【００３１】
この非火災の判別は、上記第１の実施形態と同様に、火災判別の定義とはことなる定義となっているが、火災信号を保持できれば、火災判別と同じ定義により火災と判別されないときに非火災としてもよい。ただ、一旦火災と判別された後に、同様の判別で火災と判別されないときに、即座に非火災とするには不安があるので、別途非火災であることを判別して火災信号を取り消しているものであり、ヒステリシス的に安全性を考慮した火災警報の解除ができる。
【００３２】
また、上記第１または第２の実施形態において、火災を判別する動作において、センサレベルSLV と比較する基準レベルSLV'として、所定時間前のセンサレベルを用いるのではなく、筐体内部に設けられた温度検出素子としてトランジスタのベース電圧ＶB-E の温度特性等に基づいた環境の温度から基準レベルSLV'を求めるものであってもよい。
【００３３】
さらに、火災判別について、蓄積式の火災受信機を用いる場合には、蓄積が不要であり、火災感知器の信号送出がスイッチング回路による信号線の略短絡状態ではなく、伝送回路を用いたコード信号による状態信号の送出であってもよい。また、感知器をアナログ式として、検出レベルをコード信号で送出する場合、火災受信機において上記種々の火災判別や非火災判別を行えばよい。
【００３４】
【発明の効果】
以上のように、本発明は、火災現象に基づく物理量を検出する火災検出部を用いてセンサレベルを取り込む検出手段と、前記センサレベルに基づいて火災を判別して火災信号を送出するものであってその火災と判別した後は別途定義された非火災を判別して該火災信号の送出を停止する判別手段と、該火災信号に基づいて火災警報を行い、該火災信号の送出の停止により火災警報を復旧する警報手段と、を有する火災警報装置であって、前記判別手段の火災判別時から所定の保持時間、前記判別手段の判別を行わずに前記警報手段に火災信号の送出を継続させる保持手段を有することを特徴とし、判別手段が別途非火災であることを判別して火災信号を取り消しているので、ヒステリシス的に安全性を考慮した火災警報の解除ができるとともに、火災と判別された後に即座に非火災の判別が行われた場合に、火災警報をすぐに消してしまわずに、一度行った火災警報を所定時間継続させることにより、関係者の注意を確実に喚起できる。
【００３６】
さらに、定義された火災判別に基づいて火災を判別して火災信号を送出するとともに、別途定義された非火災判別に基づいて非火災を判別して火災信号を復旧することを特徴とし、その結果、定義された火災判別に基づいて火災を判別して火災信号を送出するが、別途定義された非火災判別に基づいて非火災を判別して火災信号を復旧することができ、無駄な管理人の火災確認行為を行わなくても安心できる。このときに、通常火災と判別された時点からセンサレベルとしての温度等は上昇していくことが普通であり、その時点のレベルを下回る、あるいはセンサレベルが負勾配に変化していくことで非火災と判別することができる。
【図面の簡単な説明】
【図１】火災感知器の具体例としてのサーミスタ式熱感知器の回路図。
【図２】図１の火災感知器の動作を示すフローチャート。
【図３】図２と同様に、図１の火災感知器の動作を示すフローチャート。
【符号の説明】
ＩＣ１  マイコン
Ｂ１    スイッチング回路
Ｂ４    熱検出回路
【図１】
0003922738.tif 000002
【図２】
0003922738.tif 000003
【図３】
0003922738.tif 000004